(57)【要約】      （修正有）【課題】上下複数段の熨斗瓦を上下に貫く上下方向の支持杆によって、該複数段の熨斗瓦を、棟方向に沿う棟芯材側に支持する棟瓦の固定構造において、該複数段の熨斗瓦を安定的に棟芯材側に支持することが可能な棟瓦の固定構造を提供する。【解決手段】棟方向に沿う棟芯材１１と、該棟芯材１１を下支えして棟部１の中心部側に固定する受け具７とを備え、該受け具７が、前記棟芯材１１の軸方向の一部における下面側が嵌め込まれる上部開放型のＵ状断面又はコの字状断面を有し、棟芯材１１の軸方向の一部における上面側が嵌め込まれる下部開放型のＵ状断面又はコの字状断面を有する支持具１２を設け、前記受け具７及び支持具１２を、棟方向で互い違いに配置し、棟芯材１１に固定された支持具１２の上面側に支持杆１３の下端部を固定することにより、熨斗瓦２を支持具１２側に支持固定する。【選択図】図１
0003182514.tif 000002
【実用新案登録請求の範囲】
【請求項１】
棟方向に沿う棟芯材（１１）と、該棟芯材（１１）を下支えして棟部（１）の中心部側に固定する受け具（７）とを備え、該棟芯材（１１）の上側に上下複数段の熨斗瓦（２）を重ねて配置し、複数段の熨斗瓦（２）を上下に貫く上下方向の支持杆（１３）によって、該複数段の熨斗瓦（２）を棟芯材（１１）側に支持する棟瓦の固定構造において、前記受け具（７）が、前記棟芯材（１１）の軸方向の一部における下面側が嵌め込まれる上部開放型のＵ状断面又はコの字状断面を有し、棟芯材（１１）の軸方向の一部における上面側が嵌め込まれる下部開放型のＵ状断面又はコの字状断面を有する支持具（１２）を設け、前記受け具（７）及び支持具（１２）を、棟方向で互い違いに配置し、棟芯材（１１）に固定された支持具（１２）の上面側に支持杆（１３）の下端部を固定することにより、熨斗瓦（２）を支持具（１２）側に支持固定する棟瓦の固定構造。
【請求項２】
前記受け具（７）は、チャネル状断面を有し、前記棟芯材（１１）の断面を方形状に成形し、該棟芯材（１１）の両側面及び下面を受け具（７）内に嵌め込み固定する請求項１に記載の棟瓦の固定構造。
【請求項３】
前記支持具（１２）は、チャネル状断面を有し、前記棟芯材（１１）の断面を方形状に成形し、該棟芯材（１１）の両側面及び上面を支持具（１２）内に嵌め込み固定した請求項１又は２の何れかに記載の棟瓦の固定構造。
【請求項４】
受け具（７）及び支持具（１２）を、棟芯材（１１）よりも高い強度を有する材料によって構成した請求項１乃至３の何れかに記載の棟瓦の固定構造。
【請求項５】
受け具（７）又は支持具（１２）の一方又は両方を金属または硬質補強プラスチックによって構成した請求項４に記載の棟瓦の固定構造。
【請求項６】
支持杆（１３）の下端部と支持具（１２）の上面側とを係脱可能に係合させて固定する請求項１乃至５の何れかに記載の棟瓦の固定構造。
【請求項７】
上下に重ねられた熨斗瓦（２）同士の間に接着剤（２９）を塗布又は充填し、前記上下複数段の熨斗瓦（２）を一体的に固定する請求項１乃至６の何れかに記載の棟瓦の固定構造。
【請求項８】
熨斗瓦（２）を上下に貫く接着剤（２９）供給用の供給孔（３０）を、該熨斗瓦（２）に形成した請求項７に記載の棟瓦の固定構造。
【請求項９】
支持具（１２）と棟芯材（１１）上面との間を接着剤（２２）により接着した請求項１乃至８の何れかに記載の棟瓦の固定構造。
【考案の詳細な説明】
【技術分野】
【０００１】
本考案は、瓦屋根における棟瓦の固定構造に関する。
【背景技術】
【０００２】
従来瓦屋根等における棟瓦の固定構造としては、棟方向に沿う棟芯材と、該棟芯材を下支えして棟部の中心部側に固定する受け具とを備え、該棟芯材の上側に上下複数段の熨斗瓦を重ねて配置し、複数段の熨斗瓦を上下に貫く上下方向の支持杆によって、該複数段の熨斗瓦を棟芯材側に支持するものが公知になっている（例えば、特許文献１参照。）。
【先行技術文献】
【特許文献】
【０００３】
【特許文献１】特許第３３７６５１７号（図１５）
【考案の概要】
【考案が解決しようとする課題】
【０００４】
上記文献の棟瓦の固定構造では、支持杆の下端部を、角材からなる棟芯材にねじ込んで挿入固定することにより、複数段の熨斗瓦を棟芯材に支持固定しているため、棟芯材への支持杆の挿入強度に熨斗瓦の支持強度が影響され、場合によっては、熨斗瓦を安定的に棟芯材側に支持することが困難な場合がある。
【０００５】
本考案は、上下複数段の熨斗瓦を上下に貫く上下方向の支持杆によって、該複数段の熨斗瓦を、棟方向に沿う棟芯材側に支持する棟瓦の固定構造において、該複数段の熨斗瓦を安定的に棟芯材側に支持することが可能な棟瓦の固定構造を提供することを課題とする。
【課題を解決するための手段】
【０００６】
上記課題を解決するため、第１に、棟方向に沿う棟芯材１１と、該棟芯材１１を下支えして棟部１の中心部側に固定する受け具７とを備え、該棟芯材１１の上側に上下複数段の熨斗瓦２を重ねて配置し、複数段の熨斗瓦２を上下に貫く上下方向の支持杆１３によって、該複数段の熨斗瓦２を棟芯材１１側に支持する棟瓦の固定構造において、前記受け具７が、前記棟芯材１１の軸方向の一部における下面側が嵌め込まれる上部開放型のＵ状断面又はコの字状断面を有し、棟芯材１１の軸方向の一部における上面側が嵌め込まれる下部開放型のＵ状断面又はコの字状断面を有する支持具１２を設け、前記受け具７及び支持具１２を、棟方向で互い違いに配置し、棟芯材１１に固定された支持具１２の上面側に支持杆１３の下端部を固定することにより、熨斗瓦２を支持具１２側に支持固定することを特徴とする。
【０００７】
第２に、前記受け具７は、チャネル状断面を有し、前記棟芯材１１の断面を方形状に成形し、該棟芯材１１の両側面及び下面を受け具７内に嵌め込み固定することを特徴とする。
【０００８】
第３に、前記支持具１２は、チャネル状断面を有し、前記棟芯材１１の断面を方形状に成形し、該棟芯材１１の両側面及び上面を支持具１２内に嵌め込み固定したことを特徴とする。
【０００９】
第４に、受け具７及び支持具１２を、棟芯材１１よりも高い強度を有する材料によって構成したことを特徴とする。
【００１０】
第５に、受け具７又は支持具１２の一方又は両方を金属または硬質補強プラスチックによって構成したことを特徴とする。
【００１１】
第６に、支持杆１３の下端部と支持具１２の上面側とを係脱可能に係合させて固定することを特徴とする。
【００１２】
第７に、上下に重ねられた熨斗瓦２同士の間に接着剤２９を塗布又は充填し、前記上下複数段の熨斗瓦２を一体的に固定することを特徴とする。
【００１３】
第８に、熨斗瓦２を上下に貫く接着剤２９供給用の供給孔３０を、該熨斗瓦２に形成したことを特徴とする。
【００１４】
第９に、支持具１２と棟芯材１１上面との間を接着剤２２により接着したことを特徴とする。
【考案の効果】
【００１５】
支持具の下部開放型のＵ状断面又はコの字状断面に棟芯材の軸方向の一部における上面側が嵌め込まれることにより、支持具が棟芯材に安定的に支持され、この支持具の上面側に支持杆の下端部を固定することにより、該支持杆が上下に貫通した上下複数段の熨斗瓦を、支持具側に支持固定するため、この支持杆の下端部を棟芯材にねじ込んで挿入固定する場合と比較して、該熨斗瓦を安定的に棟芯材側に支持することが可能になる。しかも、支持具と受け具とが棟方向で互い違いに配置されているため、両者の干渉が抑制され、両部材の設計の自由度が高い。
【００１６】
また、受け具及び支持具を、棟芯材よりも高い強度を有する材料によって構成したものによれば、熨斗瓦をより安定的に棟芯材側に支持することが可能になる。
【００１７】
また、支持杆の下端部と支持具の上面側とを係脱可能に係合させて固定するものによれば、支持杆を支持具から着脱可能となるため、利便性が高い。
【００１８】
さらに、上下に重ねられた熨斗瓦同士の間に接着剤を塗布又は充填し、前記上下複数段の熨斗瓦を一体的に固定するものによれば、上下に重ねられた熨斗瓦が一体化して、熨斗瓦をより安定的に支持できる。
【００１９】
なお、熨斗瓦を上下に貫く接着剤供給用の供給孔を、該熨斗瓦に形成したものによれば、供給孔によって、上下複数段の熨斗瓦同士を接着させる作業をより効率的に行うことが可能になる。
【００２０】
また、支持具と棟芯材上面との間を接着剤により接着したものによれば、支持具が棟芯材により強固に固定され、その結果として、熨斗瓦をより安定的に棟芯材側に支持することができる。
【図面の簡単な説明】
【００２１】
【図１】本発明の固定構造を示す分解正面図である。
【図２】本発明の固定構造を示す組立状態の正断面図である。
【図３】本発明の固定構造を示す組立状態の要部側面図である。
【図４】本発明の固定構造を示す一部断面斜視図である。
【考案を実施するための形態】
【００２２】
図１は、本発明の固定構造を示す分解正面図であり、図２は、本発明の固定構造を示す組立状態の正断面図であり、図３は、本発明の固定構造を示す組立状態の要部側面図であり、図４は、本発明の固定構造を示す一部断面斜視図である。これらの図面では、屋根の棟部１に設けられた熨斗瓦２や冠瓦３等の棟瓦を、該棟部１に取付固定する棟瓦の固定構造の一例を示している。具体的には、断面視山形に形成された屋根下地材（のじ板）４の傾斜した上面側に多数の浅瓦６が敷設され、この屋根下地材４の逆Ｖ字状断面の頂部側（棟部１側）には、熨斗瓦２及び冠瓦３が取付け固定されている。
【００２３】
この熨斗瓦２及び冠瓦３の固定構造について説明すると、平面視で棟部１の幅方向中心において棟部１の全長方向（棟方向）に延びるとともに該棟方向視で上部が開放されたＵ字状又はコの字状（図示する例ではコの字状）に形成された受け具７と、受け具７の下面側を支持する上下方向の支持ボルト８と、支持ボルト８の下端を屋根下地材４の頂部に支持固定する取付金具９と、棟方向に形成された角材状の棟芯材１１と、棟方向に延びるとともに該棟方向視で下部が開放されたＵ字状又はコの字状（図示する例ではコの字状）に形成された支持具１２と、支持具１２の上面から真上側に突出する上下方向の支持杆１３と、棟芯材１１の真上側に位置して該棟芯材１１に対して平行に延びる押え材１４と、受け具７の左右の各側壁７ａ，７ａの外面に支持固定された面戸補強部材１６とによって、冠瓦３及び熨斗瓦２が棟芯材１１（屋根下地材４側）に固定される。
【００２４】
上記熨斗瓦２は、積層された状態で、受け具７側に取付け固定され、この内、支持具１２の上面に直接的に積み重ねられる複数の熨斗瓦２が大熨斗瓦２Ａであり、この大熨斗瓦２Ａの上に積層される複数の熨斗瓦２が小熨斗瓦２Ｂであり、受け具７の側壁７ａ側から外側側方に延出され且つ大熨斗瓦２Ｂを下支えするように面戸補強部材１６上に左右内側端部が固定された熨斗瓦２が下側熨斗瓦２Ｃである。
【００２５】
大熨斗瓦２Ａ及び小熨斗瓦２Ｂは、棟部１の幅方向中心から両側方に向かってそれぞれ下方に湾曲した断面視円弧状に形成され、大熨斗瓦２Ａは、小熨斗瓦２Ｂよりも大きな左右幅を有している。一対の下側熨斗瓦２Ｃは、それぞれ棟芯材１１から遠ざかる方向に向かって下方湾曲した形状を有している。
【００２６】
積み上げた複数（図示する例では２つ）の大熨斗瓦２Ａの上に、さらに小熨斗瓦２Ｂを複数（図示する例では３つ）積み上げて上下複数段の熨斗瓦２としている。この上下複数段の熨斗瓦２は、棟方向に複数並列配置されるが、このうちの一部の熨斗瓦２は、下側熨斗瓦２上に載置された状態で、上述の支持杆１３により棟芯材１１に位置決め固定される瓦ユニット１７になる一方で、他の熨斗瓦２Ａ，２Ｂは、下側熨斗瓦２Ｃ、棟芯材１１及び面戸補強部材１６の上面側に載置固定される。
【００２７】
この上下複数段の熨斗瓦２によって構成された瓦ユニット１７は、該複数の各熨斗瓦２の中央部には挿通孔１８が穿設され、これらの熨斗瓦２を、互いの中央部分を一致させて上下方向に積み重ねることにより、各挿通孔１８が上下方向に一直線状に並んで、瓦ユニット１７の中央を上下方向に貫く固定孔１７ａが形成される。
【００２８】
上記冠瓦３は、幅方向中央部が盛り上がった半円弧状の断面形状を有して、棟方向に延びている。この冠瓦３を、最上段の熨斗瓦２の上端面側に位置させた状態で、棟方向に直線状に並列配置している。ちなみに、隣接する冠瓦３の円弧状の端部同士における一方の端部は、他方の端部に比べて小径に形成され、該他方の端部の内周側に上記一方の端部の外周側を挿入させて該端部同士を接続している。この接続構造によって、該接続部分からの浸水が防止される。
【００２９】
上記取付金具９は、屋根下地材４の逆Ｖ字状の断面に沿う一対の板状の傾斜部と、この二股状に延出された一対の傾斜部同士を頂部側で一体的に接続する下方開放されたチャネル状の接続部とを一体的に有している。この一対の傾斜部を、屋根下地材４の一対の傾斜面にそれぞれビス止め等により取付けることにより、この取付金具９が屋根下地材４に強固に固着される。
【００３０】
上記支持ボルト８は、取付金具９の上記接続部の上面側から上方突出した状態で、取付金具９に固定されている。ちなみに、取付金具９は、屋根下地材４の頂部に位置して、棟方向に沿って所定間隔毎に複数並列され、この各取付金具９に支持ボルト８が固定されている。
【００３１】
上記受け具７は、上部が開放されたチャネル状に形成された断面を、棟方向に延設することにより構成されている。この受け具７の材料には、棟芯材１１よりも高い強度を有する金属または硬質補強プラスチック等を用いている。該受け具７の下面側は、支持ボルト８によって下面側から支持固定されている。
【００３２】
この受け具７の内面側には軸芯材１１の軸方向の一部における両側面及び下面が嵌合収容され、これによって受け具７は棟芯材１１を下支え支持している。ちなみに、受け具７は、棟方向に複数設置され、この複数の受け具７によって、１つの棟芯材１１を、棟部１の中心側に支持固定している。
【００３３】
上記棟芯材１１は、方形断面を有して棟方向に延びるプラスチック材であり、該プラスチック材としては、プラスチック廃材を再生した軽量プラスチックを用い、この棟芯材１１内には、補強用アルミ材２１が一体的に埋設され、この補強用アルミ材２１によって棟芯材１１の強度を向上させている。
【００３４】
上記支持具１２は、下部が開放されて棟方向に延びるチャネル状部材である。この支持具１２は、金属または硬質補強プラスチック等によって構成され、棟芯材１１よりも強度が高く設定されている。この支持具１２の内面側には軸芯材１１の軸方向の一部における両側面及び上面が嵌合収容され、これによって棟芯材１１の上面側に支持具１２が嵌め込み固定される。
【００３５】
この支持具１２は、棟方向に複数配置されるが、この際、支持具１２と受け具７とが、棟方向で互い違いとなるように該棟方向でずらされて配置されている。この他、支持具１２と、棟芯材１１の上面との間には、接着剤２２が介在し、この接着剤２２によって、両者を強固に接着せしめられている。
【００３６】
このようにして、受け具７に棟芯材１１が嵌め込み支持され、該棟芯材１１の上面側に支持具１２が嵌め込み固定されるが、この際、棟芯材１２は、側面側から挿入される横方向の止めネジ１９によって、受け具７に確実に固定させめられ、支持具１２は、上面側から挿入される鉛直方向の止めネジ２０によって、棟芯材１１に固定せしめされる。
【００３７】
上記支持杆１３の下端部（基端部）と、支持具１２の上面との何れか一方にナット部２３を設けるとともに、他方にボルト部１３ａを設け、ナット部２３にボルト部１３ａをねじ接合させることにより、支持具カバー１２の上面側に支持杆１３の下端部を着脱可能に取付固定している。
【００３８】
図示する例では、支持具１２の上面側にナットを溶接して固定することにより、ナット部２３を形成するとともに、支持杆１３の下端部の外周にねじを形成してボルト部１３ａを形成し、このボルト部１３ａの上方近傍には、支持杆１３のナット部２３への所定量以上の挿入を規制する規制リング２４が取付固定されている。また、支持杆１３の上端部（先端部）にも、ねじからなるボルト部１３ｂが形成されている。
【００３９】
上記押え材１４は、プラスチック材を再生した軽量プラスチック材から構成され、内部に補強用アルミ材２６が埋設されている。この押え材１４は、方形状断面を有して棟方向に形成され且つ上述した瓦ユニット１７の上面の幅方向中央側に位置決め載置される。
【００４０】
そして、上述した支持杆１３は、前記瓦ユニット１７の固定孔１７ａに挿通されるとともに、押え材１４を上下方向に貫通し、支持杆杆１３の上端側が押え材１４の上面から上方に突出した状態になる。この支持杆杆１３の上方突出部分に、ナット２７をネジ係合させて締付けることにより、複数段の熨斗瓦２からなる瓦ユニット１７が棟芯材１１の上面側に載置状態で締着固定される。ちなみに、ナット２７と押え材１４との間には、緩み防止用のワッシャ２８が介在している。
【００４１】
なお、瓦ユニット１７において、重ね合わされる熨斗瓦２同士の間には接着剤２９が塗布または充填によって介挿される。このため、小熨斗瓦２Ｂを大熨斗瓦２Ａ上に積層させる際、或いは小熨斗瓦２Ｂを別の小熨斗瓦２Ｂ上に積層させる際、載置する熨斗瓦２の下面と、載置される熨斗瓦２の上面との空間に接着剤２９を供給可能となるように、該大熨斗瓦２Ａ及び小熨斗瓦２Ｂには、自身を上下に貫く接着剤２９供給用の供給孔３０が穿設されている。
【００４２】
この接着剤２９は、熨斗瓦２同士を互いに接着固定して全体を一体的に固定する他、熨斗瓦２の挿通孔１８と支持杆１３との間の隙間や熨斗瓦２同士の間に形成された隙間をシールして防水機能を付与する。ちなみに、この接着剤２９の主成分は発泡ウレタンからなる。
【００４３】
また、押え材１４は、瓦ユニット１７の上端面に載置された冠瓦３の直下に位置し、この冠瓦３が該冠瓦３上面から下方にねじ込まれる止めビス３１によって、押え材１４に固定される。ちなみに、止めビス３１と、支持杆１３は、棟方向において互い違いに配されている。
【００４４】
上記面戸補強部材１６は、受け具７から遠ざかる方向及び上方に突出したアングル状断面を有して棟方向に形成されたＬ字形ウィングであり、プラスチック廃材を再生した軽量プラスチック材によって構成されている。この左右一対の各面戸補強部材１６は、該面戸補強部材１６と、受け具７の側壁７ａとを貫く釘３２又はビス（図示する例では釘）によって、該受け具７及び棟芯材１１に取付け固定される。
【００４５】
このようにして、受け具７から両側方にそれぞれ延びる一対の面度補強部材１６の上面には、上述した通り、下側熨斗瓦２Ｃの左右内側端部が載置された状態で固定される。具体的には、下方斜め内側に傾斜させたねじ釘３３を、下側熨斗瓦２Ｃ及び面戸補強部材１６にねじ込み挿入することにより、下側熨斗瓦２Ｃが面戸補強部材１６に取付け固定される。この下側熨斗瓦２Ｃの左右内側端寄りの上面には、シリコンボンドからなる接着剤３４が塗布され、この接着剤３４によって、組立状態時に下側熨斗瓦２Ｃと瓦ユニット１７とが補助的に接着固定される。
【００４６】
また、この面戸補強部材１６の下面には、複数の柱状の防水芯材３６が設けられている。詳しく説明すると、防水芯材３６は、下向きの櫛の歯状に形成されたプラスチック製スポンジ材によって本体側が構成され、上端部に棟方向に延びる差込板３７が固着されている。一方、面戸補強部材１６の下面には、差込板３７を、棟方向からスライド挿入する差込溝１６ａが凹設されている。そして、差込板３７を差込溝１６ａに差込むことにより、櫛の歯状に棟方向に延びる防水芯材３６が面戸補強部材１６の下面側に配設される。
【００４７】
組立状態では、防水芯材３６の下端面が近接する浅瓦６の上面に接当して、全体が弾性的に湾曲変形した状態になり、この防水芯材３６の周りにウレタンフォーム３８を吹付け又は充填塗装等によって表面及び櫛の歯状の隙間に表装施工し、このウレタンフォーム３８の外面にモルタル又はしっくい等の表面仕上材３９をコーティングして、面戸部４１を形成している。この両側の面戸部４１によって、受け具７側の両側方がカバーされて浸水が確実に防止される。
【符号の説明】
【００４８】
１  棟部
２  熨斗瓦（棟瓦）
７  受け具
７ａ  側壁
１１  棟芯材
１２  支持具
１３  支持杆
１３ａ  ボルト部（ねじ）
２２  接着剤
２３  ナット部（ナット）
２９  接着剤
３０  供給孔（供給部）
【図１】
0003182514.tif 000003
【図２】
0003182514.tif 000004
【図３】
0003182514.tif 000005
【図４】
0003182514.tif 000006